(57)【要約】  気象条件等を公開する情報源の信頼性を評価して、適切な電力管理が行えるようにする。解決手段商用電力の供給情報と気象情報との少なくとも一方を含む外部情報を公開情報として取得する通信部と、少なくとも公開情報、計測気象情報及びシステム運転履歴情報を格納する情報格納部と、公開情報及び計測気象情報を取得して、計測気象情報に基づき取得された公開情報の信頼性を判断し、信頼度の高い公開情報に基づき負荷への電力供給を指示する電力管理指令を出力する中央制御部と、複数の電源の状態を管理すると共に、出力制御を行う電源切替回路と、電源切替回路に電源の選択を指示する電源切替指令を出力すると共に、選択された電源と負荷との接続状態を指示する制御指令を出力する負荷制御部と、制御指令に基づき電源と負荷との接続を行う継電ユニットと、制御指令に基づき負荷への電力供給情報を案内するインターフェースユニットと、を備える。
2013121750.tif 000002
【特許請求の範囲】
【請求項１】
複数の負荷が接続された電力供給系統を複数配下に置き、前記負荷に供給する電力を管理する負荷電力管理システムであって、
商用電力の供給情報と気象情報との少なくとも一方を含む外部情報を公開情報として取得する通信部と、
少なくとも前記公開情報、計測気象情報及びシステム運転履歴情報を格納する情報格納部と、
前記公開情報及び前記計測気象情報を取得して、前記計測気象情報に基づき取得された前記公開情報の信頼性を判断し、信頼度の高い前記公開情報に基づき前記負荷への電力供給を指示する電力管理指令を出力する中央制御部と、
複数の電源の状態を管理すると共に、出力制御を行う電源切替回路と、
前記電源切替回路に電源の選択を指示する電源切替指令を出力すると共に、選択された前記電源と前記負荷との接続状態を指示する制御指令を出力する負荷制御部と、
前記制御指令に基づき前記電源と前記負荷との接続を行う継電ユニットと、
前記制御指令に基づき前記負荷への電力供給情報を案内するインターフェースユニットと、を備えることを特徴とする負荷電力管理システム。
【請求項２】
請求項１に記載の負荷電力管理システムであって、
前記負荷の所在地の気象情報を計測して、その計測結果を前記計測気象情報として出力する気象計測部を備えることを特徴とする負荷電力管理システム。
【請求項３】
請求項１又は２に記載の負荷電力管理システムであって、
前記中央制御部は、前記通信部により取得された複数の情報源からの前記公開情報と前記計測気象情報との差を求め、当該差が小さい当該公開情報を提供した前記情報源を信頼性が高いと評価して、信頼度の最も高い情報源からの前記公開情報を優先的に取得することを特徴とする負荷電力管理システム。
【請求項４】
請求項１乃至３のいずれか１項に記載の負荷電力管理システムであって、
前記中央制御部は、前記信頼性の高い情報源を特定する情報を検索情報として前記情報格納部に格納し、前記通信部は当該情報格納部に格納された前記検索情報を検索キーワードとして用いて該当する情報源から前記公開情報を取得することを特徴とする負荷電力管理システム。
【請求項５】
請求項１乃至４のいずれか１項に記載の負荷電力管理システムであって、
前記継電ユニットは、複数の電力供給系統に対応して設けられた継電部を備え、かつ、当該継電部は前記負荷に対応して設けられた従継電器と、当該従継電器を介して供給される電力を計測して負荷状態情報として出力する電力センサと、を備えて、
前記負荷制御部は、複数の前記電力センサからの前記負荷状態情報の合計値を求めて、電力の総使用量を判断して、当該判断結果に基づき各負荷への電力供給を行うか否かを示す制御指令を生成・出力することを特徴とする負荷電力管理システム。
【請求項６】
請求項１乃至５のいずれか１項に記載の負荷電力管理システムであって、
前記中央制御部は、前記電源切替回路から、少なくとも無停電電源の供給能力を電源情報として取得し、該電源情報に基づき前記商用電源以外の電源からの電力供給を行うか否かの指示を前記電力管理指令に含めることを特徴とする負荷電力管理システム。
【請求項７】
請求項１乃至６のいずれか１項に記載の負荷電力管理システムであって、
前記負荷制御部は、前記インターフェースを介して前記負荷に当該負荷の運転条件を指示することを特徴とする負荷電力管理システム。
【請求項８】
複数の負荷が接続された電力供給系統を複数配下に置き、前記負荷に供給する電力を管理する負荷電力管理方法であって、
商用電力の供給情報と気象情報との少なくとも一方を含む情報を公開情報として取得する公開情報取得手順と、
少なくとも前記公開情報、計測気象情報及びシステム運転履歴情報を格納する情報格納手順と、
前記公開情報及び前記計測気象情報を取得して、前記計測気象情報に基づき取得された前記公開情報の信頼性を判断し、信頼度の高い前記公開情報に基づき前記負荷への電力供給を指示する電力管理指令を出力する中央制御手順と、
複数の電源の状態を管理すると共に、出力制御を行う電源切替手順と、
前記電源切替手順に電源の選択を指示する前記電源切替指令を出力すると共に、選択された前記電源と前記負荷との接続状態を指示する制御指令を出力する負荷制御手順と、
前記制御指令に基づき前記電源と前記負荷との接続を行う継電手順と、
前記制御指令に基づき前記負荷への電力供給情報を案内する案内手順と、を含むことを特徴とする負荷電力管理方法。
【請求項９】
請求項８に記載の負荷電力管理方法であって、
前記負荷の所在地の気象情報を計測して、その計測結果を計測気象情報として出力する気象計測手順を含むことを特徴とする負荷電力管理方法。
【請求項１０】
請求項８又は９に記載の負荷電力管理方法であって、
前記中央制御手順は、前記公開情報取得手順により取得された前記公開情報と前記計測気象情報との差を求め、当該差が小さい当該公開情報を提供した前記情報源の信頼性を評価して、信頼度の最も高い情報源からの前記公開情報を優先的に取得することを特徴とする負荷電力管理方法。
【発明の詳細な説明】
【技術分野】
【０００１】
本発明は、負荷電力管理システム及び負荷電力管理方法に関する。
【背景技術】
【０００２】
今日、低炭素社会の実現や商用電力の供給不足に対応するために節電運動が活発化している。このような節電に関する多くの技術が、提案されている。【０００３】
例えば、特許文献１には、商用電源の正常／停電に関わらず、コンピュータが遠隔操作できるように、無停電電源装置や切換器を備えたコンピュータ電源系統制御システムが提案されている。この無停電電源装置は、無停電電源装置運転指令を受信して、商用電源の正常／停電に関わらず、無停電化した状態を続けることができる。従って、遠方からコンピュータ電源系統制御システムが起動できるため無人化が可能になっている。【０００４】
また、特許文献２には、エネルギー需給制御装置が開示されている。このエネルギー需給制御装置は、熱需要予測部及び電力需要予測部で予測された熱電需要と、日射強度予測部や風力発電予測部で予測された発電量と、蓄電池監視部で取得された蓄電池の充電状態とに基づいて、燃料電池の運転計画を行うことで、分散型エネルギーコミュニティー全体のエネルギー供給コストが最小となるようにしている。【０００５】
さらに、特許文献３には、電源マネージメントシステムが開示されている。この電源マネージメントシステムは、複数の電気負荷の要求に応じて、自動車に搭載された発電機の発電量とこの発電機に接続されたバッテリの充放電量とを制御する。これにより、自動車の機能のバランスが崩れることのない安定した電力供給を行うようにしている。
【先行技術文献】
【特許文献】
【０００６】
【特許文献１】特開平９−１３５５４２号公報
【特許文献２】特開２００５−８６９５３号公報
【特許文献３】特開２００９−３３７８７号公報
【発明の開示】
【発明が解決しようとする課題】
【０００７】
しかしながら、上述した各特許文献においては、各種の制御に用いる基本情報は、正確であるとの仮定の下で利用されている。例えば、特許文献２にかかるエネルギー需給制御装置では、風力発電予測部で風力発電量等を予測している。しかし、風力発電量を予測するには、風力に関する情報が基本情報として必要になる。このような風力情報は複数の予報機関から公開されているが、予測機関が公開した情報は、現地の風力と一致しない場合がある。従って、現地の風力との一致性が悪い情報に基づき電力管理を行うと、適切な電力管理が行えない場合が生じる。【０００８】
そこで、本発明の主目的は気象条件等を公開する情報源の信頼性を評価して、適切な電力管理が行えるようにした負荷電力管理システム及び負荷電力管理方法を提供することである。
【課題を解決するための手段】
【０００９】
上記課題を解決するため、複数の負荷が接続された電力供給系統を複数配下に置き、負荷に供給する電力を管理する負荷電力管理システムは、商用電力の供給情報と気象情報との少なくとも一方を含む外部情報を公開情報として取得する通信部と、少なくとも公開情報、計測気象情報及びシステム運転履歴情報を格納する情報格納部と、公開情報及び計測気象情報を取得して、計測気象情報に基づき取得された公開情報の信頼性を判断し、信頼度の高い公開情報に基づき負荷への電力供給を指示する電力管理指令を出力する中央制御部と、複数の電源の状態を管理すると共に、出力制御を行う電源切替回路と、電源切替回路に電源の選択を指示する電源切替指令を出力すると共に、選択された電源と負荷との接続状態を指示する制御指令を出力する負荷制御部と、制御指令に基づき電源と負荷との接続を行う継電ユニットと、制御指令に基づき負荷への電力供給情報を案内するインターフェースユニットと、を備える。【００１０】
また、複数の負荷が接続された電力供給系統を複数配下に置き、負荷に供給する電力を管理する負荷電力管理方法は、商用電力の供給情報と気象情報との少なくとも一方を含む情報を公開情報として取得する公開情報取得手順と、少なくとも公開情報、計測気象情報及びシステム運転履歴情報を格納する情報格納手順と、公開情報及び計測気象情報を取得して、計測気象情報に基づき取得された公開情報の信頼性を判断し、信頼度の高い公開情報に基づき負荷への電力供給を指示する電力管理指令を出力する中央制御手順と、複数の電源の状態を管理すると共に、出力制御を行う電源切替手順と、電源切替手順に電源の選択を指示する電源切替指令を出力すると共に、選択された電源と負荷との接続状態を指示する制御指令を出力する負荷制御手順と、制御指令に基づき電源と負荷との接続を行う継電手順と、制御指令に基づき負荷への電力供給情報を案内する案内手順と、を含むことを特徴とする。
【発明の効果】
【００１１】
気象条件等を公開する情報源の信頼性を評価して、適切な電力管理が行えるようにしたので適切な負荷電力管理が行えるようになる。
【図面の簡単な説明】
【００１２】
【図１】本発明の実施形態にかかる負荷電力管理システムの構成図である。
【図２】負荷電力管理システムにおける継電ユニット、インターフェースユニット、負荷郡の詳細ブロック図である。
【図３】負荷電力管理システムにおける情報取得処理を示すフローチャートである。
【図４】優先度テーブルの例である。
【図５】負荷電源管理処理手順を示すフローチャートである。
【図６】運転画面の例である。
【図７】主継電器の電力状態を示す主継電器状態画面の例である。
【図８】負荷制御部の動作を示すフローチャートである。
【発明を実施するための最良の形態】
【００１３】
本発明の実施形態を、図を参照して説明する。図１は、本実施形態にかかる負荷電力管理システム２の構成図である。【００１４】
負荷電力管理システム２は、気象計測部６及び負荷電力管理装置１０を備える。そして、負荷電力管理装置１０には情報提供部４、負荷郡３及び電源部５が接続されると共に、気象計測部６が接続されている。この負荷電力管理装置１０は、中央制御部１１、通信部１２、情報格納部１３、負荷制御部１４、継電ユニット５０、インターフェースユニット６０、電源切替回路１８を含んでいる。図２は、継電ユニット５０、インターフェースユニット６０、負荷郡３の詳細ブロック図である。【００１５】
負荷電力管理装置１０は、外部の情報提供部４から公開情報Ｇ１を取得すると共に、気象計測部６から計測気象情報Ｇ２を取得する。そして、負荷電力管理装置１０は、公開情報Ｇ１と計測気象情報Ｇ２に基づき情報源を評価する。この評価により信頼性の高い情報源を選定し、この情報源からの公開情報Ｇ１に基づき、負荷郡３への電力供給を制御する。以下、詳細に説明する。【００１６】
負荷郡３は、複数の負荷３２を備える負荷部３１（３１ａ〜３１ｎ）を含んでいる。この負荷３２としては、例えば空気調和機、照明器具等が例示できる。なお、本実施形態は、負荷の種類や数を限定するものではない。そして、負荷３２には負荷電力ラインＬを介して電力が供給される。【００１７】
電源部５は、商用電源５ａ、無停電電源（例えば、蓄電池）５ｂ、太陽光発電機５ｃ、その他の電力供給源５ｍを含む。なお、電源部５は、図１に例示した商用電源５ａ、無停電電源５ｂ等の全ての電源を備える必要はない。即ち、商用電源５ａだけでもよく、商用電源５ａと太陽光発電機５ｃとを備えている場合でもよい。以下においては、商用電源５ａ、無停電電源５ｂ、太陽光発電機５ｃを備える場合を例に説明する。また、その他の電力供給源５ｍとしては、風力発電機、地熱発電機等が例示できる。【００１８】
情報提供部４は、負荷電力管理装置１０からの公開情報要求Ｇ５に応じて、公開されている電力や気象に関する情報を公開情報Ｇ１として負荷電力管理装置１０に出力する。【００１９】
この情報提供部４としては、インターネット等のオープンネットワーク上の情報源や地上波デジタル放送におけるテレビ局等の情報源が例示できる。従って、情報提供部４は、単一の情報源に限定する必要はなく、複数の情報源とする。【００２０】
そして、公開情報Ｇ１には、商用電力情報や気象情報が含まれるが、これらの情報の他に当該公開情報を提供した情報源を示す情報源情報が含まれている。ここで、商用電力情報としては、発電所や変電所から供給される商用電力供給量に関する情報や計画停電等に関する情報が例示できる。また、気象情報としては、負荷郡３の所在地における所定時間毎の気温、風力、雨量、日射量等の気象予測情報が例示できる。例えば、２０１２年１月６日の東京都港区芝５丁目の気温、風力、雨量、日射量等の１時間毎の気象予報である。さらに、情報源情報としては、これら商用電力情報や気象情報を提供した情報源を特定するウエブサイトのアドレス等が例示できる。【００２１】
公開情報要求Ｇ５には、求める情報の内容（天気、気温、商用電力供給量、計画停電の予定等）を特定するキーワードや情報源を特定するためのキーワード（情報源キーワード）が含まれている。【００２２】
なお、複数の情報源から提供された気象情報は全て同じ内容とは限らない。このため、負荷郡３の所在地における気象情報と一致しないことがある。そこで、負荷郡３の所在地における気象情報と一致度の高い気象情報を提供した情報源を選定し、この情報源のアドレス等を情報源キーワードに設定するために、当該情報源キーワードは、負荷電力管理システム２の運用に応じて更新・変更できるようになっている。【００２３】
気象計測部６は、負荷郡３の所在地における気温、風力、雨量、日射量等を例えば１時間毎に計測し、その計測値を計測気象情報Ｇ２として負荷電力管理装置１０に出力する。【００２４】
負荷電力管理装置１０は、先に説明したように、中央制御部１１、通信部１２、情報格納部１３、負荷制御部１４、継電ユニット５０、インターフェースユニット６０、電源切替回路１８を含む。また、継電ユニット５０は、複数の継電部５１（５１ａ〜５１ｎ）を含み、インターフェースユニット６０は複数の表示部６１（６１ａ〜６１ｎ）を含む。【００２５】
中央制御部１１は、情報格納部１３、気象計測部６、負荷制御部１４及び電源切替回路１８と通信して、負荷電力制御に関する主制御処理を行う。即ち、中央制御部１１は、情報格納部１３に検索情報Ｇ１１を出力し、情報格納部１３に格納されている公開情報Ｇ１を取得する。検索情報Ｇ１１は、公開情報要求Ｇ５を構成するための情報である。【００２６】
また、中央制御部１１は、気象計測部６から計測気象情報Ｇ２、電源切替回路１８から電源情報Ｇ３、負荷制御部１４から負荷郡３の状態を示す負荷状態情報Ｇ１３をそれぞれ取込む。負荷状態情報Ｇ１３には、各負荷３２が要求する電力量や現在使用している電力量に関する情報が含まれている。【００２７】
そして、中央制御部１１は、計測気象情報Ｇ２、公開情報Ｇ１、負荷状態情報Ｇ１３、電源情報Ｇ３に基づき電力管理指令Ｇ１５を負荷制御部１４に出力する。【００２８】
また、中央制御部１１は、計測気象情報Ｇ２と公開情報Ｇ１との比較を行い、この公開情報Ｇ１を提供した情報源の信頼度を評価し、評価結果を検索情報Ｇ１１に含めて情報格納部１３に格納する。これらの具体的処理内容については、後述する。【００２９】
通信部１２と情報提供部４とは、有線／無線等の様々な通信方式で接続されて、情報の送受信を行う。即ち、通信部１２は、公開情報要求Ｇ５を情報格納部１３から読出して情報提供部４に出力する。そして、通信部１２は、公開情報要求Ｇ５に応じて情報提供部４が提供した公開情報Ｇ１を受信して情報格納部１３に格納する。【００３０】
情報格納部１３は、公開情報Ｇ１、検索情報Ｇ１１、計測気象情報Ｇ２、負荷状態情報Ｇ１３、負荷電力管理システム２の運用履歴やログ情報等の各種の情報を格納する。【００３１】
電源切替回路１８は、商用電源５ａや無停電電源５ｂ等の各電源に関する電源情報Ｇ３を中央制御部１１に出力する。また、電源切替回路１８は、負荷電力管理装置１０からの電源切替指令Ｇ４に従い、商用電源５ａ、無停電電源５ｂ等の各電源の出力を切替える。【００３２】
電源情報Ｇ３としては、例えば商用電源５ａの供給状態、無停電電源５ｂが蓄電池の場合には蓄電量、太陽光発電機５ｃの発電量等が例示できる。【００３３】
負荷制御部１４には、中央制御部１１からの電力管理指令Ｇ１５が入力すると共に、継電ユニット５０から負荷状態情報Ｇ１３が入力する。なお、この負荷状態情報Ｇ１３は、負荷制御部１４を介して中央制御部１１にも出力される。そして、負荷制御部１４は、これら電力管理指令Ｇ１５及び負荷状態情報Ｇ１３に基づき、電源切替回路１８に電源切替指令Ｇ４を出力すると共に、継電ユニット５０に制御指令Ｇ１０を出力する。【００３４】
継電ユニット５０は、図２に示すように、電力供給系統毎に設けられた継電部５１（５１ａ〜５１）を複数備える。また、各継電部５１は、１つの主継電器５２と、複数の従継電器５３及び電力センサ５４を含んでいる。主継電器５２としては、メインブレーカ等が例示できる。また、従継電器５３としては、メインブレーカの配下に位置するブレーカが例示できる。さらに、電力センサ５４としては、電力計が例示できる。【００３５】
そして、負荷制御部１４からの制御指令Ｇ１０に基づき、主継電器５２及び従継電器５３が動作して、負荷郡３への電力供給が制御される。また、電力センサ５４は、検出結果を負荷状態情報Ｇ１３として出力する。【００３６】
インターフェースユニット６０は、ユーザに負荷郡３への電力供給状態を案内するための情報表示を行う複数の表示部６１（６１ａ〜６１ｎ）を備える。各表示部６１には、液晶表示器等の情報表示装置や警報灯等の光情報表示装置からなる表示器６２が含まれる。【００３７】
次に、上述した負荷電力管理システム２における情報取得処理を、図３を参照して説明する。この情報取得処理は、情報提供部４から取得した公開情報の信頼性を判断する。【００３８】
ステップＳＡ１、ＳＡ２：  中央制御部１１は、検索情報Ｇ１１が更新されたか否かを判断する。検索情報Ｇ１１は、予め設定された情報である。例えば、天気予報に関する情報の場合、天気予報会社Ｂが提供する天気予報を取得するように設定されていたとする。しかし、システム運用の結果から天気予報会社Ａの公開する天気予報が負荷郡３の所在地の天候とよく一致すると判断された場合、負荷電力管理システム２は、この天気予報会社Ａの優先度を天気予報会社Ｂより高くする。即ち、天気予報会社Ｂと天気予報会社Ａとの優先度の順位が逆転する。このように優先度に変更が生じた場合、中央制御部１１は、検索情報Ｇ１１が更新されたと判断する。【００３９】
また、天気予報会社Ａの優先度は天気予報会社Ｂの優先度より小さいが、種々の事情によりシステム管理者が天気予報会社Ａからの公開情報Ｇ１を優先的に取得するように設定した場合にも、中央制御部１１は、検索情報Ｇ１１が更新されたと判断する。【００４０】
そして、検索情報Ｇ１１が更新された場合には、処理はステップＳＡ２に進んで、更新された検索情報Ｇ１１が情報格納部１３に格納される。一方、検索情報Ｇ１１が更新されていない場合は、処理はステップＳＡ３に進む。【００４１】
ステップＳＡ３、ＳＡ４：  次に、通信部１２は、公開情報取得時間であるか否かを判断する。情報源である情報提供部４は、公開情報Ｇ１を定期的に更新している場合がある。例えば、天気気象は日に何回か予報されて、予報内容が変る場合がある。そこで、最新の公開情報Ｇ１に基づいた負荷電力管理を行うために、通信部１２は、公開情報取得時間であるか否かを判断する。【００４２】
公開情報取得時間である場合には、通信部１２は、情報格納部１３から検索情報Ｇ１１に基づいた公開情報要求Ｇ５を生成して情報提供部４に出力する。そして、通信部１２は、この公開情報要求Ｇ５に応じて提供された公開情報Ｇ１を、情報格納部１３に格納する。【００４３】
ステップＳＡ５、ＳＡ６：  また、気象計測部６は、計測気象情報取得時間か否かを判断する。計測気象情報は気温や日照等の計測値である。そして、計測気象情報取得時間と判断した場合には、気温等を計測して、中央制御部１１に出力する。中央制御部１１は、取得した計測気象情報Ｇ２を情報格納部１３に格納する。なお、計測気象情報取得時間か否かは、中央制御部１１が判断して、計測気象情報取得時間と判断した場合には計測気象情報Ｇ２を自動的に取得してもよい。【００４４】
ステップＳＡ７：  中央制御部１１は、情報源優先度判断時間であるか否かを判断する。公開情報Ｇ１は、あくまでも予測又は予報である。従って、予測アルゴリズムや負荷郡３の所在地等によって、負荷電力管理に用いる情報として必ずしも妥当でない場合がある。そこで、信頼性の高い情報源を選別するために、予報値（公開情報Ｇ１）と実測値（計測気象情報Ｇ２）との比較を行う。【００４５】
情報源優先度判断時間、公開情報取得時間、気象情報取得時間は、情報源優先度判断時間間隔＞公開情報取得時間間隔＞気象情報取得時間間隔のように異なる時間間隔に設定されている。例えば、情報源優先度判断時間間隔は１日間隔、公開情報取得時間間隔は３時間間隔、気象情報取得時間間隔は１時間間隔とすることができる。【００４６】
ステップＳＡ８：  情報源優先度判断時間と判断された場合には、中央制御部１１は、情報格納部１３に格納されている公開情報Ｇ１、計測気象情報Ｇ２を読出す。【００４７】
ステップＳＡ９、ＳＡ１０：  そして、中央制御部１１は、同時刻における公開情報Ｇ１が示す気温等と計測気象情報Ｇ２が示す気温等との差分を算出して、優先度テーブルを作成する。【００４８】
図４は、このような優先度テーブル４０の例である。公開情報Ｇ１や計測気象情報Ｇ２は、気温や天候等の複数の情報を含むが、以下の情報源優先度判定手順においては、気温を例に説明する。図４に示す優先度テーブル４０は、情報源欄４１、日時欄４２、公開情報欄４３、計測気象情報欄４４、差分値欄４５、時間帯一致度欄４６、情報源優先度欄４７により形成されている。無論、かかる優先度テーブル４０を実際に作成する必要はなく、メモリ上に形成された仮想テーブルで十分である。【００４９】
情報源欄４１は公開情報Ｇ１の提供先（情報源）、公開情報欄４３は公開情報の内容（ここでは気温）、計測気象情報欄４４は気温の計測値、差分値欄４５は公開情報欄４３と計測気象情報欄４４と差分値である。【００５０】
ステップＳＡ１１：  中央制御部１１は、差分値欄４５の値から時間帯一致度を判定すると共に、この時間帯一致度に基づき情報源優先度を判断する。【００５１】
時間帯一致度欄４６は、差分値欄４５の値に応じて予め設定された値で、この値が小さい方がその時間帯で高い信頼性を持つことを示している。例えば、差分値欄４５の値が「０」の場合には、時間帯一致度欄４６の値は「０」になるように設定されている。【００５２】
また、情報源優先度欄４７は、各時間帯における時間帯一致度欄４６の値に基づき判断された情報源欄４１に示された公開情報Ｇ１の提供先の信頼性を示す値である。この値が小さい方が、情報源欄４１に示された公開情報Ｇ１の提供先の信頼性が高いことを示している。【００５３】
例えば、図４では、情報源欄４１における「Ｂ」の情報源からの公開情報Ｇ１のうち、日時欄４２の時間１０：００における公開情報は、「３４℃」であり、日時欄４２における計測気象情報は「３４℃」であった。この公開情報と計測気象情報との差分値欄４５は「０」であるので、時間帯一致度欄４６は「１」であった。そして、この時間帯一致度欄４６を、例えば各時間における積算値が、各情報源の中で中間値であったので、情報源優先度欄４７は中間優先度として「２」が判断されたことを示している。【００５４】
以上説明した手順により、信頼性の高い情報源からの公開情報が取得される。即ち、公開情報は広域にわたる天候予報であっても、負荷の所在地の天候の計測値に基づき、公開情報の信頼性を判断するので、負荷電力管理システム２が負荷の電力管理を行う際にも、信頼性の高い公開情報に基づき管理を行うことが可能になる。【００５５】
次に、負荷電力管理システム２における負荷電源管理処理について説明する。図５は、負荷電源管理処理手順を示すフローチャートである。【００５６】
ステップＳＢ１、ＳＢ２：  中央制御部１１は、公開情報Ｇ１や電源情報Ｇ３、負荷状態情報Ｇ１３、計測気象情報Ｇ２等の各種の情報を収集する時間か否かを判断し、収集時間の場合には、これらの情報を収集する。【００５７】
ステップＳＢ３：  そして、システム管理者は、図６に示すような運転画面７を表示して目標電力を表示する。なお、目標電力とは、システム管理者が設定した使用電力量の上限値（目的量）である。負荷電力管理システム２は、この目標電力を超えないように負荷郡３への電力供給を管理する。【００５８】
なお、図６においては、負荷電力管理システム２は、主継電器α〜主継電器δの４電力供給系統を管理し、主継電器αにのみ電力供給が行われている場合を例示している。【００５９】
運転画面７は、運転日時欄７１、全ての電力供給系統で現在使用されている電力（使用電力）に関する情報を纏めて表示した電力情報欄７２、使用電力量の時間推移を示す使用電力グラフ７３、運転履歴を見るために運転日を指定する運転日指定欄７４、運転状態に関するログ情報を表示するログ欄７５等を備える。【００６０】
電力情報欄７２は、使用電力量を示す使用電力欄７２ａ、目標電力量を示す目標電力欄７２ｂ、電力使用率欄７２ｃ、使用電力量や目標電力量を視覚的に表示したインディケータ７２ｄ、電力テーブル７２ｅを含む。電力テーブル７２ｅは、電力供給系統別の電力使用率を示す系統使用率、系統使用電力、系統目標電力を纏めたテーブルである。使用率は、目標電力量に対する使用電力量の比率である。【００６１】
使用電力グラフ７３は、使用電力の時間推移を示す電力使用曲線７３ａ、目標電力を示す目標電力ライン７３ｂを含んでいる。図６において電力使用曲線７３ａで、目標電力ライン７３ｂを超えた領域の一点鎖線７３ｃは、負荷電力管理を行わないときの電力使用曲線７３ａを示し、この領域に対応した実線７３ｄは、負荷電力管理を行ったときの電力使用曲線７３ａを示している。即ち、負荷電力管理システム２が、目標電力ライン７３ｂを超えないように負荷郡３への電力供給を管理した結果が実線７３ｄの電力使用曲線７３ａである。【００６２】
ログ欄７５は、使用電力グラフ７３に表示されている運転状況に関する情報（例えば、使用電力が目標電力を超えたためにアラームが起動された等の情報）を表示する。システム管理者は、このような情報に基づき目標電力を設定することができる。従って、運転日指定欄７４で指定した過去の運転状況が、使用電力グラフ７３及びログ欄７５に表示されるので、システム管理者は、運転履歴を参考にしながら目標電力等を設定することが可能になる。【００６３】
なお、主継電器には複数の従継電器が接続され、この従継電器を介して負荷への電力供給が行われる。図７は、主継電器の電力状態を示す主継電器状態画面８である。主継電器状態画面８は、表示する主継電器を明示する表示主継電器欄８１、図７の電力情報欄７２と同じ情報を表示する電力情報欄８２、表示主継電器欄８１で表示された主継電器の配下の従継電器等を示す従継電器情報欄８３、無停電電源の使用電力を示す無停電電源欄８４、無停電電源の充電率や使用可能な推定した時間を示す推定保持時間を含む無停電電源テーブル８５を備える。なお、従継電器情報欄８３には、従継電器名、この従継電器が供給する負荷の名前、供給している電力量が含まれている。【００６４】
システム管理者は、運転画面７に目標電力を設定する。これにより使用率が計算されて電力使用率欄７２ｃに表示される。目標電力の設定は、目標電力欄７２ｂに直接数値入力したりインディケータ７２ｄに設けられているスライドバー７２ｆを操作して設定すること可能である。【００６５】
ステップＳＢ４〜ＳＢ７：  中央制御部１１は、目標電力が設定されると、負荷電源管理を行うと判断してステップＳＢ５に進み、系統目標電力を演算する。この系統目標電力は、運転履歴により各電力供給系統配下の負荷が要求する電力（要求電力）を取得した電力とする。そして予測要求電力から、必須電力（負荷電力管理の対象とならない負荷が要求する電力）を差引いた電力をその電力供給系統の管理対象電力とする。負荷電力管理の対象とならない負荷として、サーバーや非常灯等が例示できる。【００６６】
中央制御部１１は、全ての電力供給系統に対して管理対象電力を算出すると、各管理対象電力に使用率を掛けて、系統準目標電力を算出する。各電力供給系統の系統準目標電力の合計値は、目標電力より大きくなることがある。そこで、中央制御部１１は、このオーバーした電力が無停電電源５ｂや太陽光発電機５ｃ等の他の電源により補充できるか否かを判断する。【００６７】
補充できると判断した場合には、従継電器をＯＦＦに設定しない。一方、補充できないと判断した場合には、無停電電源５ｂ等の他の電源でも補充できない電力量に相当する従継電器の動作を制限する。例えば、図７においては、従継電器α１と従継電器α９は電灯であるので、従継電器α９をＯＦＦに設定する。【００６８】
このようにして、中央制御部１１は、各従継電器に対する動作を設定し、これを電力管理指令として出力する。なお、無停電電源等の電源を使用する際には、その電源を特定する情報（例えば、各電源に識別番号を割当てている場合には、その識別番号）を電力管理指令に含める。【００６９】
次に、負荷制御部１４の動作を、図８を参照して説明する。【００７０】
ステップＳＣ１〜ＳＣ３：  負荷制御部１４は、電力管理指令を受信すると、ステップＳＣ２に進み、各電力センサ５４の計測値を取得する。そして、電力供給系統別に各電力センサ５４の計測値を合計して現在の使用電力を求める。この時点において各負荷は、商用電源から電力供給を受けている。その後、負荷制御部１４は、現在の使用電力が目標電力を超えている（超えそうな場合を含む）か、否かを判断する。【００７１】
ステップＳＣ４：  現在の使用電力が目標電力を超えている場合には、負荷制御部１４は電力管理指令に含まれる従継電器をＯＦＦにすると共に、電力管理案内情報を出力する。電力管理案内は、負荷制御部１４から継電部５１を介してインターフェースユニット６０の表示部６１に又は、負荷制御部１４からインターフェースユニット６０の表示部６１に直接に出力される。表示部６１は複数の表示器６２から構成されているので、該当する従継電器に対応した表示器６２に、節電状態のため電力供給が制限されている（例えば、電灯の一部が消灯されている）等の案内が液晶装置等からなる表示器６２に表示され、またはパトラップを点灯して、ユーザに告知される。【００７２】
ステップＳＣ５：また、負荷制御部１４は電力管理指令に含まれる無停電電源等の使用を開始する。例えば、無停電電源の電力を主継電器αに供給する場合は、負荷制御部１４は、負荷電源切替指令Ｇ４に主継電器αと無停電電源とを指定する情報を含める。【００７３】
電源切替回路１８は、電源切替指令を受信すると、該当する電源からの電力が、所定の主継電器に供給されるように回路切替を行う。例えば、商用電源から電力供給されていて、電源切替指令には主継電器に無停電電源からの電力を供給する情報が含まれていると、電源切替回路１８は、電源切替を行って無停電電源と主継電器とを接続する。【００７４】
ステップＳＣ６：  電力管理指令に含まれる全ての情報に基づく設定が完了すると、負荷制御部１４は電力管理を終了するか否かを判断する。通常電力管理は、例えば制御を日単位で行う場合、２４時になったとき電力管理が終了する。無論、電力管理指令に、管理時間に関する情報が含まれている場合には、その情報が満たされると電力管理が終了する。【００７５】
以上説明したように、公開情報の信頼度を評価し、信頼度の高い公開情報に基づき作成した負荷電力指令に従い負荷への電力管理を行うので、負荷郡の所在地に適した負荷電力管理が行えるようになる。【００７６】
なお、上記説明では、各負荷への電力を供給するか否かにより負荷電力管理を行ったが、本発明はこれに限定するものではない。即ち、負荷が空気調和機のような場合には、節電要素として設定温度を制限する方法もある。例えば、インターフェースユニットの表示器は表示機能と、負荷に運転条件を送信する機能を持たせて、インターフェースユニットから各負荷に運転条件を出力させる。これにより、負荷に電力供給を行うが、その条件として温度設定等の運転条件を管理することで、負荷電力管理が行える。【００７７】
また、上記説明では、負荷電力管理システム２には、１台の負荷電力管理装置１０を設けた場合について説明したが、複数台設けてもよい。この場合には、例えば、負荷郡がビル内の負荷郡で、複数のビルを管理するような場合でも、重複した要素を設けなくても良い利点がある。即ち、システムコストや運転コストが削減できる利点がある。【００７８】
上記の実施形態の一部又は全部は、以下の付記のようにも記載されうるが、以下には限られない。
＜付記１＞
複数の負荷が接続された電力供給系統を複数配下に置き、前記負荷に供給する電力を管理する負荷電力管理システムであって、
商用電力の供給情報と気象情報との少なくとも一方を含む外部情報を公開情報として取得する通信部と、
少なくとも前記公開情報、計測気象情報及びシステム運転履歴情報を格納する情報格納部と、
前記公開情報及び前記計測気象情報を取得して、前記計測気象情報に基づき取得された前記公開情報の信頼性を判断し、信頼度の高い前記公開情報に基づき前記負荷への電力供給を指示する電力管理指令を出力する中央制御部と、
複数の電源の状態を管理すると共に、出力制御を行う電源切替回路と、
前記電源切替回路に電源の選択を指示する電源切替指令を出力すると共に、選択された前記電源と前記負荷との接続状態を指示する制御指令を出力する負荷制御部と、
前記制御指令に基づき前記電源と前記負荷との接続を行う継電ユニットと、
前記制御指令に基づき前記負荷への電力供給情報を案内するインターフェースユニットと、を備えることを特徴とする負荷電力管理システム。
＜付記２＞
付記１に記載の負荷電力管理システムであって、
前記負荷の所在地の気象情報を計測して、その計測結果を前記計測気象情報として出力する気象計測部を備えることを特徴とする負荷電力管理システム。
＜付記３＞
付記１又は２に記載の負荷電力管理システムであって、
前記中央制御部は、前記通信部により取得された複数の情報源からの前記公開情報と前記計測気象情報との差を求め、当該差が小さい当該公開情報を提供した前記情報源を信頼性が高いと評価して、信頼度の最も高い情報源からの前記公開情報を優先的に取得することを特徴とする負荷電力管理システム。
＜付記４＞
付記１乃至３のいずれか１項に記載の負荷電力管理システムであって、
前記中央制御部は、前記信頼性の高い情報源を特定する情報を検索情報として前記情報格納部に格納し、前記通信部は当該情報格納部に格納された前記検索情報を検索キーワードとして用いて該当する情報源から前記公開情報を取得することを特徴とする負荷電力管理システム。
＜付記５＞
付記１乃至４のいずれか１項に記載の負荷電力管理システムであって、
前記継電ユニットは、複数の電力供給系統に対応して設けられた継電部を備え、かつ、当該継電部は前記負荷に対応して設けられた従継電器と、当該従継電器を介して供給される電力を計測して負荷状態情報として出力する電力センサと、を備えて、
前記負荷制御部は、複数の前記電力センサからの前記負荷状態情報の合計値を求めて、電力の総使用量を判断して、当該判断結果に基づき各負荷への電力供給を行うか否かを示す制御指令を生成・出力することを特徴とする負荷電力管理システム。
＜付記６＞
付記１乃至５のいずれか１項に記載の負荷電力管理システムであって、
前記中央制御部は、前記電源切替回路から、少なくとも無停電電源の供給能力を電源情報として取得し、該電源情報に基づき前記商用電源以外の電源からの電力供給を行うか否かの指示を前記電力管理指令に含めることを特徴とする負荷電力管理システム。
＜付記７＞
付記１乃至６のいずれか１項に記載の負荷電力管理システムであって、
前記負荷制御部は、前記インターフェースを介して前記負荷に当該負荷の運転条件を指示することを特徴とする負荷電力管理システム。
＜付記８＞
複数の負荷が接続された電力供給系統を複数配下に置き、前記負荷に供給する電力を管理する負荷電力管理方法であって、
商用電力の供給情報と気象情報との少なくとも一方を含む情報を公開情報として取得する公開情報取得手順と、
少なくとも前記公開情報、計測気象情報及びシステム運転履歴情報を格納する情報格納手順と、
前記公開情報及び前記計測気象情報を取得して、前記計測気象情報に基づき取得された前記公開情報の信頼性を判断し、信頼度の高い前記公開情報に基づき前記負荷への電力供給を指示する電力管理指令を出力する中央制御手順と、
複数の電源の状態を管理すると共に、出力制御を行う電源切替手順と、
前記電源切替手順に電源の選択を指示する前記電源切替指令を出力すると共に、選択された前記電源と前記負荷との接続状態を指示する制御指令を出力する負荷制御手順と、
前記制御指令に基づき前記電源と前記負荷との接続を行う継電手順と、
前記制御指令に基づき前記負荷への電力供給情報を案内する案内手順と、を含むことを特徴とする負荷電力管理方法。
＜付記９＞
付記８に記載の負荷電力管理方法であって、
前記負荷の所在地の気象情報を計測して、その計測結果を計測気象情報として出力する気象計測手順を含むことを特徴とする負荷電力管理方法。
＜付記１０＞
付記８又は９に記載の負荷電力管理方法であって、
前記中央制御手順は、前記公開情報取得手順により取得された前記公開情報と前記計測気象情報との差を求め、当該差が小さい当該公開情報を提供した前記情報源の信頼性を評価して、信頼度の最も高い情報源からの前記公開情報を優先的に取得することを特徴とする負荷電力管理方法。
＜付記１１＞
付記８乃至１０のいずれか１項に記載の負荷電力管理方法であって、
前記中央制御手順は、前記信頼性の高い情報源を特定する情報を検索情報とし、前記公開情報取得手順は当該検索情報を検索キーワードとして該当する情報源から前記公開情報を取得することを特徴とする負荷電力管理方法。
＜付記１２＞
付記８乃至１１のいずれか１項に記載の負荷電力管理方法であって、
前記継電手順は、供給される電力を計測して負荷状態情報として出力する供給電力計測手順を含み、
前記負荷制御手順は、前記負荷状態情報の合計値を求めて電力の総使用量を判断して、当該判断結果に基づき各負荷への電力供給を行うか否かを示す制御指令を生成・出力することを特徴とする負荷電力管理方法。
＜付記１３＞
付記８乃至１２のいずれか１項に記載の負荷電力管理方法であって、
前記中央制御手順は、少なくとも商用電源及び、無停電電源の供給能力を電源情報として取得し、該電源情報に基づき前記商用電源以外の電源からの電力供給を行うか否かの指示を前記電力管理指令に含めることを特徴とする負荷電力管理方法。
＜付記１４＞
付記８乃至１３のいずれか１項に記載の負荷電力管理方法であって、
前記負荷制御手順は、前記負荷の運転条件を指示することを特徴とする負荷電力管理方法。【００７９】
この出願は、２０１２年２月１４日に出願された日本出願特願２０１２−０２９６００を基礎とする優先権を主張し、その開示の全てをここに取り込む。
【符号の説明】
【００８０】
２    負荷電力管理システム
３    負荷郡
４    情報提供部
５    電源部
５ａ    商用電源
５ｂ    無停電電源
５ｃ    太陽光発電機
５ｍ    電力供給源
６    気象計測部
７    運転画面
８    主継電器状態画面
１０    負荷電力管理装置
１１    中央制御部
１２    通信部
１３    情報格納部
１４    負荷制御部
１８    電源切替回路
３２    負荷
５０    継電ユニット
５１    継電部
５２    主継電器
５３    従継電器
５４    電力センサ
６０    インターフェースユニット
６１    表示部
６２    表示器
【図１】
2013121750.tif 000003
【図２】
2013121750.tif 000004
【図３】
2013121750.tif 000005
【図４】
2013121750.tif 000006
【図５】
2013121750.tif 000007
【図６】
2013121750.tif 000008
【図７】
2013121750.tif 000009
【図８】
2013121750.tif 000010
【国際調査報告】
2013121750.tif 000011
2013121750.tif 000012